(57)【要約】【課題】格納動作中の車両用リモコンの誤操作によるリモコン動作部の不要な動作を抑制することが可能な機械式駐車場を提供する。【解決手段】乗降室１２に進入した車両を格納棚１４へ移動させる機械式駐車場１００において、電磁波発生装置１０は、車両用リモコン２２による車両に対する遠隔操作を妨害するための妨害用の電磁波を出力する。電磁波発生装置１０は、妨害用の電磁波が１００ｋＨｚ〜３００ｋＨｚの範囲内にある電磁波を含むように構成される。電磁波発生装置１０は、妨害用の電磁波が５００ＭＨｚ以上の電磁波を含まないように構成される。【選択図】図１
2018059378.tif 000002
【特許請求の範囲】
【請求項１】
乗降室に進入した車両を格納棚へ移動させる機械式駐車場であって、
車両用リモコンによる前記車両に対する遠隔操作を妨害するための妨害用の電磁波を出力する電磁波発生装置を備えることを特徴とする機械式駐車場。
【請求項２】
前記電磁波発生装置は、前記妨害用の電磁波が１００ｋＨｚ〜３００ｋＨｚの範囲内にある電磁波を含むように構成されることを特徴とする請求項１に記載の機械式駐車場。
【請求項３】
前記電磁波発生装置は、前記妨害用の電磁波が５００ＭＨｚ以上の電磁波を含まないように構成されることを特徴とする請求項１または２に記載の機械式駐車場。
【請求項４】
前記電磁波発生装置は、前記乗降室に前記車両が進入した状態にて格納開始の操作がされてから予め定められたタイミングで前記妨害用の電磁波の出力を開始するように構成されることを特徴とする請求項１から３のいずれかに記載の機械式駐車場。
【請求項５】
前記電磁波発生装置は、前記妨害用の電磁波の出力を開始してから前記車両が前記乗降室から前記格納棚に通じる通路を移動するときに前記妨害用の電磁波の出力を停止するように構成されることを特徴とする請求項１から４のいずれかに記載の機械式駐車場。
【請求項６】
前記電磁波発生装置は、前記妨害用の電磁波の出力を開始してから予め定められた時間が経過したタイミングで前記妨害用の電磁波の出力を停止するように構成されることを特徴とする請求項１から４のいずれかに記載の機械式駐車場。
【請求項７】
前記妨害用の電磁波を放射するためのアンテナが前記乗降室の内側に設置されることを特徴とする請求項１から６のいずれかに記載の機械式駐車場。
【発明の詳細な説明】
【技術分野】
【０００１】
本発明は、機械式駐車場に関する。
【背景技術】
【０００２】
少ないスペースで多数の車両を効率的に駐車できる駐車場として、機械式駐車場が知られている。機械式駐車場も種々の構造が提供されているが、その１つとしてパレットの上に車両を載置し、このパレットを前後或いは左右にレールや溝を利用して移動させることにより、空いているパレットスペースへ運ぶ構成としたパレット式の機械式駐車場が提供されている。また、このパレット式の機械式駐車場にリフト及び立体的な駐車層を組み合わせることにより、より駐車効率を高めた機械式駐車場も提供されている。例えば、特許文献１には乗降室に進入した車両を格納棚へ導入する機械式駐車場が記載されている。
【０００３】
特許文献１に記載の機械式駐車場では、機械式駐車場の乗降室のパレット上の車両収容領域の境界からの車両の左右および前後にはみ出しセンサが設けられる。このはみ出しセンサは車両収容領域の境界からの車両のはみ出しを検知する。はみ出しが検知された場合は、操作盤にエラーを表示させる。はみ出しが検知されなかった場合は車両をパレットごと格納棚へ移動する格納動作を開始する。
【先行技術文献】
【特許文献】
【０００４】
【特許文献１】特開２０１４−８８６８５号公報
【発明の概要】
【発明が解決しようとする課題】
【０００５】
発明者は機械式駐車場について検討し以下のような認識を得た。車両用リモコンの遠隔操作によって動作する部分（以下、リモコン動作部）を備える車両が増えている。このような車両について、格納動作を開始した後に車両用リモコンの誤操作がなされ、その車両の例えばハッチバックドアが開くことで車両収容領域の境界を超えることが考えられる。この場合に、車両のハッチバックドアが格納動作で移動する途中で駐車場の設備などに接触して双方が損傷する課題がある。このような課題はハッチバックドアに限られず、他のリモコン動作部についても生じうる。また、このような課題は、車両を格納棚へ格納する動作中に限らず、車両を格納棚へ格納完了した後についても生じうる。
【０００６】
本発明は、こうした状況に鑑みてなされたものであり、その目的は、格納動作中又は格納完了後の車両用リモコンの誤操作によるリモコン動作部の不要な動作を抑制することが可能な機械式駐車場の提供にある。
【課題を解決するための手段】
【０００７】
上記課題を解決するために、本発明のある態様の機械式駐車場は、乗降室に進入した車両を格納棚へ移動させる機械式駐車場であって、車両用リモコンによる車両に対する遠隔操作を妨害するための妨害用の電磁波を出力する電磁波発生装置を備える。
【０００８】
この態様によると、機械式駐車場において、電磁波発生装置が妨害用の電磁波を出力することで、車両の遠隔操作を妨害することができる。
【０００９】
なお、以上の構成要素の任意の組み合わせや、本発明の構成要素や表現を方法、装置、システムなどの間で相互に置換したものもまた、本発明の態様として有効である。
【発明の効果】
【００１０】
本発明によれば、格納動作中又は格納完了後の車両用リモコンの誤操作によるリモコン動作部の不要な動作を抑制することが可能な機械式駐車場を提供することができる。
【図面の簡単な説明】
【００１１】
【図１】実施の形態に係る機械式駐車場の正面図である。
【図２】実施の形態に係る機械式駐車場の構成を示すブロック図である。
【図３】操作盤に表示される入力画面の一例を示す画面図である。
【図４】機械式駐車場における車両を格納する処理の一例を示すフローチャートである。
【発明を実施するための形態】
【００１２】
発明者は機械式駐車場について考察し以下のような認識を得た。
車両のリモコンの遠隔操作によって、例えばスライドドア、トランク、ハッチバックドア、ドアミラーの開閉やアンテナの出し入れなどの動作をするリモコン動作部を備える車両が普及している。このような車両用リモコンは車両のユーザーが所持するエンジンキーに付属する場合が多い。
【００１３】
このような車両用リモコンは、車両を機械式駐車場の乗降室に停車させた後、降車したユーザーのポケットに収容されることがある。ユーザーは、乗降室を出て待つ間に、ポケットに入れた車両用リモコンを無意識にいじり、車両用リモコンの操作ボタンを誤って押すような誤操作をすることがある。この誤操作があると、車両用リモコンの電波が車両に届き、例えばハッチバックドアが開くことが考えられる。このような車両用リモコンの誤操作も、格納動作の開始前であれば前述のはみ出しセンサによって車両の外形を検知して格納動作を停止させることが可能である。しかし、格納動作の開始後は、はみ出しセンサによって車両の外形を検知することは難しい。
【００１４】
格納動作の開始後の誤操作により、移動中の車両のハッチバックドアが開くと、ハッチバックドアの先端が駐車場のレールや柱、梁などに接触して、双方が損傷することが考えられる。最悪の場合には、ハッチバックドアが駐車場の天井側の梁などに引っかかり、車両がパレットから通路に落下することも考えられる。この場合には通路の復旧に多大な時間がかかり、その間駐車場から車両が出し入れできないことも考えられる。
これらのことから、発明者は従来の機械式駐車場には、格納動作中の車両用リモコンの誤操作によるリモコン動作部の不要な動作を抑制する観点で改善する余地があることを認識した。
実施の形態はこのような認識を踏まえて創出されたもので、車両用リモコンの遠隔操作を妨害するために妨害用の電磁波を用いる。以下にその具体的な構成を説明する。
【００１５】
以下、本発明を好適な実施の形態をもとに各図面を参照しながら説明する。実施形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１６】
［実施の形態］
図１は、本実施の形態に係る機械式駐車場１００の正面図である。図２は機械式駐車場１００の構成を示すブロック図である。図２はこの実施の形態を説明する上で重要ではない要素の一部は省略して表示している。実施の形態に係る機械式駐車場１００は、乗降室１２に進入した自動車などの車両２０を格納棚１４へ導入する。以下、ＸＹＺ直交座標系をもとに説明する。Ｘ軸方向は水平な左右方向に対応し、Ｙ軸方向は水平な前後方向に対応し、Ｚ軸方向は鉛直な上下方向に対応する。Ｙ軸方向Ｚ軸方向はそれぞれＸ軸方向に直交する。
【００１７】
機械式駐車場１００は、地上に設けられた建物２４の地下に地下３階まで設けられた、いわゆる地下式の機械式駐車場である。機械式駐車場１００は、格納棚１４と、パレット３２と、第１移載装置５６と、第２移載装置５８と、４本のマスト９０と、リフトフレーム８８と、昇降装置９４と、操作盤２８と、制御装置３０と、電磁波発生装置１０と、アンテナ１０ｃと、昇降位置検知部３８と、はみ出し検知部３７と、を備える。格納棚１４は建物２４の地下１階〜３階それぞれに設けられる駐車室である。第２移載装置５８は複数設けられる。乗降室１２は、機械式駐車場１００へ車両を入れたり機械式駐車場１００から車両を取り出したりするために建物２４内に設けられている。操作盤２８は乗降室１２の外側に設けられる。制御装置３０と電磁波発生装置１０とは乗降室１２の内側に設けられている。図２に示すように、制御装置３０には操作盤２８と電磁波発生装置１０と昇降位置検知部３８とが接続される。
【００１８】
機械式駐車場１００は、パレットを用いたパレット式の駐車場である。このパレット式の機械式駐車場１００は、昇降装置９４を用いて車両２０が搭載された状態のパレット３２を昇降させる。機械式駐車場１００は、第１移載装置５６や第２移載装置５８を使用してパレットを面方向に移動させたりする。これらの動作により、機械式駐車場１００は格納棚１４に車両２０を駐車させるように構成される。なお、駐車場がパレット式であることは必須ではなく、車両が乗降室から移動する駐車場であれば他の方式であってもよい。
【００１９】
建物２４内に設けられた乗降室１２は昇降路９６の上端に設けられる。乗降室１２には乗降室１２と昇降路９６とを連通するパレット開口２６が設けられている。このパレット開口２６の大きさは、パレット３２がパレット開口２６の周面と干渉することなく通過できるように、平面視でのそのパレットの大きさに十分な量のマージンを加えた大きさとされる。
【００２０】
１階〜３階の格納棚１４はそれぞれ複数（例えば１０）の駐車スペースを含む。それら複数の駐車スペースは、平面視した場合に移載方向（図のＸ軸方向）に５行、移載方向と実質的に直交する交差方向（図のＹ軸方向）に２列のマトリクス状に配列される。駐車スペースはパレットと共に車両が駐車されうる格納棚内の一つの駐車領域（駐車の１単位）である。１階〜３階の格納棚１４それぞれは、格納棚の床を画定するフレーム８０を含む。それぞれのフレーム８０には第２移載装置５８が固定される。
【００２１】
マスト９０は断面が略矩形の昇降路９６の四隅に設けられる支柱である。リフトフレーム８８は、平面視で略矩形状に形成され、４本のマスト９０に昇降自在に支持される。リフトフレーム８８の上部には第１移載装置５６が搭載される。昇降装置９４は昇降路９６に沿ってリフトフレーム８８を昇降させる。第１移載装置５６の上部にはパレットが搭載される。第１移載装置５６は、移載方向にパレットを移動可能に構成される。パレット３２はいずれも平板状の部材である。パレット３２の車両が搭載される上面すなわち車両搭載面は略矩形である。パレット３２は画一的な大きさを有する。
【００２２】
操作盤２８は、ドライバまたは機械式駐車場１００の係員に対するユーザインタフェースとしての機能を有する。操作盤２８はタッチパネルを有する。車両の入出庫の際、操作盤２８はタッチパネルを介して一定の操作の入力を受け付けて制御装置３０に送る。操作盤２８は一定の表示をなすように制御装置３０によって制御される。
【００２３】
制御装置３０は、操作盤２８の操作結果や昇降位置検知部３８などの検知部からの検知結果を取得する。制御装置３０は機械式駐車場１００に車両を入出庫するために第１移載装置５６、第２移載装置５８および昇降装置９４を制御する。制御装置３０は妨害用の電磁波Ｗｊを出力するために電磁波発生装置１０を制御する。制御装置３０は一定の表示をするように操作盤２８を制御する。
【００２４】
（電磁波発生装置）
機械式駐車場１００は、乗降室１２に進入した車両２０を通路である昇降路９６を通じて格納棚１４へ移動させる。乗降室１２内に進入した車両２０については、格納動作が開始された後は、車両用リモコン２２の誤操作による車両各部の不要な動作は回避されることが望ましい。そこで、実施の形態の機械式駐車場１００では、電磁波発生装置１０は、車両用リモコン２２による車両２０に対する遠隔操作を妨害するための妨害用の電磁波Ｗｊを出力する。出力された妨害用の電磁波Ｗｊが車両用リモコン２２の遠隔操作用の電波に干渉することで、車両２０は車両用リモコン２２の電波を受信できないかまたは干渉を受けた電波を受信する。このため、車両用リモコン２２の遠隔操作が妨害され、車両２０の不要なリモコン動作を回避することができる。妨害用の電磁波Ｗｊは、車両用リモコン２２の遠隔操作用の電波と干渉して混信を生させるように、例えば周波数、変調、出力などの特性が設定される。これらの特性は実験やシミュレーションによって定めることができる。
【００２５】
車両用リモコン２２の遠隔操作を妨害して無効にするためには、妨害用の電磁波Ｗｊは、車両用リモコン２２の電波と効果的に干渉する性質を備えることが望ましい。例えば、妨害用の電磁波Ｗｊに車両用リモコン２２の電波の周波数に近い周波数の電磁波を含ませることが考えられる。そこで、実施の形態の機械式駐車場１００では、電磁波発生装置１０は妨害用の電磁波Ｗｊが１００ｋＨｚ〜３００ｋＨｚの範囲内にある電磁波を含むように構成される。現用されている車両用リモコン２２の電波の周波数は１００ｋＨｚ〜３００ｋＨｚの範囲であるものが多いから、この周波数と重複する１００ｋＨｚ〜３００ｋＨｚの範囲の周波数の電磁波を出力することができる。これらの周波数が接近していることで妨害用の電磁波Ｗｊが車両用リモコン２２の電波に効果的に干渉して、その遠隔操作を無効にできる可能性が高くなる。また、現用されている車両用リモコン２２の電波の周波数のバリエーションに対応するために、妨害用の電磁波Ｗｊには、周波数の異なる複数の電磁波を含ませるようにしてもよい。
【００２６】
例えば、乗降室１２内に閉じ込められた人が救助を求めるなどのために、機械式駐車場内においても、携帯電話やスマートフォンなどの携帯端末が使用できることが望ましい。妨害用の電磁波Ｗｊが携帯端末の電波の周波数に近い周波数の電磁波を含む場合には、その通話や通信に障害を与える可能性が高くなる。そこで、実施の形態の機械式駐車場１００では、電磁波発生装置１０は妨害用の電磁波Ｗｊが５００ＭＨｚ以上の電磁波を含まないように構成される。現用されている携帯端末の電波の周波数は７００ＭＨｚ以上であるから、妨害用の電磁波Ｗｊと２００ＭＨｚ以上の差があり、妨害用の電磁波Ｗｊによって携帯端末の通話や通信に障害を与える可能性を低くすることができる。例えば、電磁波発生装置１０に高周波成分を減衰させるローパスフィルタ（ＬＰＦ）を設けるようにしてもよい。
【００２７】
電磁波発生装置１０が妨害用の電磁波Ｗｊを常時出力するように構成すると、乗降室１２内に進入した段階でその車両２０に対しては車両用リモコン２２による遠隔操作が使用できなくなる不都合を生じる。例えば、乗降室１２内に車両を進入させた後、降車したドライバがドアロックやミラーの折り畳みなどの操作をする場合に、妨害用の電磁波Ｗｊによって車両用リモコン２２による遠隔操作が阻害される。この場合、必要なリモコン動作をさせることができず不便である。そこで、実施の形態の機械式駐車場１００では、電磁波発生装置１０は、乗降室１２に車両２０が進入した状態にて格納開始の操作がされてから予め定められたタイミングで妨害用の電磁波Ｗｊの出力を開始するように構成される。例えば、降車したドライバが乗降室１２の外に出て、所定の安全確認の操作をした後、格納開始の操作をするタイミングまでは、妨害用の電磁波Ｗｊを出力せず停波した状態にすることができる。この間、ドライバは車両用リモコン２２を操作して車両２０に所望のリモコン動作をさせることができる。
【００２８】
妨害用の電磁波Ｗｊの出力を開始するタイミングは、格納開始の操作をした後であれば、その操作の直後のタイミングであってもよい。実施の形態の機械式駐車場１００では、乗降室１２に車両２０が進入した状態にて、格納開始の操作がされてから所定の時間（例えば１秒）が経過したタイミングで妨害用の電磁波Ｗｊの出力を開始するように構成している。制御装置３０は、操作盤２８の格納操作部４０が操作されたことに基づいて妨害用の電磁波Ｗｊの出力を開始するように電磁波発生装置１０を制御する。
【００２９】
電磁波発生装置１０が妨害用の電磁波Ｗｊを常時出力するように構成すると、消費電力が増え、また電磁波発生装置１０を構成する部品の寿命が短くなる懸念がある。そこで、実施の形態の機械式駐車場１００では、電磁波発生装置１０は、妨害用の電磁波Ｗｊの出力を開始してから予め定められたタイミングで妨害用の電磁波Ｗｊの出力を停止するように構成される。実施の形態の機械式駐車場１００では、妨害用の電磁波Ｗｊの出力を開始してから車両２０が通路である昇降路９６内の所定の位置に進入したタイミングで妨害用の電磁波Ｗｊの出力を停止するように構成される。車両２０が昇降路９６内に進入するなど、車両用リモコン２２からの電波が届き難くなる領域に運搬された後は誤った動作をする可能性が低くなるからである。
【００３０】
機械式駐車場１００には、電磁波発生装置１０から出力される妨害用の電磁波Ｗｊを空間に放射するアンテナ１０ｃが設けられる。このアンテナ１０ｃの設置箇所に特別の制限はないが、車両から過度に離れた箇所に設置されると、妨害用の電磁波Ｗｊの効果が十分に得られない可能性がある。そこで、実施の形態の機械式駐車場１００では、妨害用の電磁波Ｗｊを放射するためのアンテナ１０ｃは乗降室１２の内側に設置される。アンテナ１０ｃが乗降室１２の外側に設置される場合に比べて乗降室１２内における妨害用の電磁波Ｗｊの効果を高くすることができる。アンテナ１０ｃは線状のアンテナ素子１０ｄを含んでもよい。アンテナ素子１０ｄは乗降室１２内の壁、天井または床の少なくともいずれかに張設されてもよい。アンテナ素子１０ｄは車両２０の少なくとも一部を挟むように、あるいは囲むように配置されてもよい。アンテナ１０ｃは複数のアンテナ素子１０ｄを含んでもよい。
【００３１】
（昇降位置検知部）
実施の形態は昇降位置検知部３８を備える。昇降位置検知部３８は車両２０またはパレット３２が昇降路９６など所定の領域に進入したことを検知する。制御装置３０は、昇降位置検知部３８が車両２０またはパレット３２の進入を検知したタイミングで妨害用の電磁波Ｗｊの出力を停止するように電磁波発生装置１０を制御する。昇降位置検知部３８としては、車両２０またはパレット３２の昇降位置を検知できるものであれば特別の制限はない。一例として、昇降位置検知部３８は、車両の昇降位置に応じたパルスを発生するパルスエンコーダを備え、このパルスエンコーダからのパルスをカウントした結果に基づいて昇降位置を検知するようにしてもよい。この場合、昇降位置検知部３８は昇降装置９４の中に設けられてもよい。また別の一例としては、昇降位置検知部３８は反射式の光電センサを含んでもよい。この場合、昇降位置検知部３８は昇降路９６の途中に設けられてもよい。昇降位置検知部３８の検知結果は、制御装置３０の昇降位置取得部３５に取得される。
【００３２】
（はみ出し検知部）
はみ出し検知部３７は、乗降室１２に進入した車両２０が所定のはみ出し検知領域外にはみ出していることを検知する。はみ出し検知部３７は、車両のはみ出しを検知するはみ出しセンサ（不図示）を複数含む。はみ出しセンサは、例えばレーザ光を発する投光部（不図示）と、そのレーザ光を選択的に検知するよう構成された受光部（不図示）と、を備える光学検知装置である。はみ出し検知部３７からのはみ出し検知結果は、制御装置３０のはみ出し検知取得部３６に取得される。
【００３３】
次に、機械式駐車場１００の各要素の詳細な構成について説明する。
【００３４】
（操作盤）
操作盤２８は、所定の表示をなすと共に手指の接触に基づく操作であるタッチ操作を検知可能なタッチパネル５２を備える。図３は、操作盤２８のタッチパネル５２に表示されるタッチ操作の入力画面の一例を示す画面図である。操作盤２８のタッチパネル５２は格納操作部４０と、表示部４２と、を主に含む。操作盤２８は、格納操作部４０がタッチ操作されたとき、格納開始信号を生成して制御装置３０に送信する。表示部４２は、制御装置３０からの制御に基づき、後述するフローチャートにしたがって、車両用リモコンが使用できない旨の表示やその他の表示をする。実施の形態のタッチパネル５２は、さらに出庫操作部５５と、テンキー入力部５３と、を含む。出庫操作部５５は、格納棚１４に格納された車両２０を乗降室１２に運搬する出庫動作を開始させるための操作を入力する。テンキー入力部５３は、例えば車両管理番号などの一定の番号を入力するようにしてもよい。この場合、表示部４２は入力された番号を表示してもよい。
【００３５】
入庫の際、ドライバまたは係員は乗降室１２の外に入庫対象の車両を停車させて降車し、操作盤２８の前に立つ。ドライバまたは係員は、格納操作部４０を押し下げることで格納動作を開始させる。操作盤２８は、格納操作部４０が押し下げられると、格納開始を要求する格納開始信号を生成し、制御装置３０に送信する。出庫の際、ドライバまたは係員は操作盤２８の前に立って、テンキー入力部５３のテンキーを押し下げることで格納した車両に紐付けられた番号を入力する。そして、出庫操作部５５を押し下げることで格納した車両の出庫動作を開始させる。操作盤２８は、テンキーが押し下げられ、出庫操作部５５が押し下げられると、出庫開始を要求する信号を生成し、制御装置３０に送信する。
【００３６】
（表示部）
妨害用の電磁波Ｗｊの出力がされることで車両用リモコン２２が使えない状態にあることをドライバ等に覚知させることが望ましい。そこで、実施の形態の機械式駐車場１００では、妨害用の電磁波Ｗｊが出力されている状態を表示する表示部４２を備える。表示部４２は図３に示すように操作盤２８に設けられてもよい。制御装置３０は、妨害用の電磁波Ｗｊが出力されている状態に対応して、車両用リモコンが使用できない旨の表示をするよう表示部４２を制御する。この構成により、実質的に妨害用の電磁波Ｗｊの出力を開始してから停止するまでの間、表示部４２には車両用リモコンが使用できない旨の表示がなされる。妨害用の電磁波Ｗｊの出力が停止された場合はこの表示は消されてもよい。
【００３７】
（制御装置）
図２に戻り制御装置３０について説明する。図２に示す制御装置３０の各ブロックは、ハードウエア的には、コンピュータのＣＰＵ（Central Processing Unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００３８】
制御装置３０は、格納操作取得部３１と、表示制御部３３と、発生装置制御部３４と、昇降位置取得部３５と、はみ出し検知取得部３６と、を主に含む。格納操作取得部３１は、操作盤２８の格納操作部４０のタッチ操作に基づき生成される格納開始信号を取得する。制御装置３０は、格納操作取得部３１が格納操作部４０からの格納開始信号を取得した場合、乗降室１２に進入した車両２０を格納棚１４に運搬して入庫するように第１移載装置５６、第２移載装置５８および昇降装置９４を制御する。発生装置制御部３４は、後述するフローチャートにしたがって、妨害用の電磁波Ｗｊの出力を開始するように電磁波発生装置１０を制御する。
【００３９】
昇降位置取得部３５は昇降位置検知部３８が検知した昇降位置を取得する。制御装置３０は、昇降位置取得部３５が取得した昇降位置が所定の位置に達した場合、後述するフローチャートにしたがって、妨害用の電磁波Ｗｊの出力を停止するように電磁波発生装置１０を制御する。表示制御部３３は、後述するフローチャートにしたがって、車両用リモコンが使用できない旨の表示をするように表示部４２を制御する。はみ出し検知取得部３６ははみ出し検知部３７からのはみ出し検知結果を取得する。制御装置３０は、はみ出し検知部３７がはみ出し検知結果を取得した場合、後述するフローチャートにしたがって、エラー表示をするように表示部４２を制御する。
【００４０】
次に、以上のように構成された機械式駐車場１００の動作を説明する。
図４は、機械式駐車場１００に車両を格納する際の一連の処理を示すフローチャートである。操作盤２８は、ドライバまたは係員から入庫の指示を受け付ける（ステップＳ３０２）。入庫の指示を受け付けた制御装置３０は、入庫対象の車両の種別を取得し、取得された種別に基づいて格納時の車両収容領域を決定するようにしてもよい。機械式駐車場１００は、車両の乗降室１２内への誘導を開始する（ステップＳ３０４）。乗降室１２内のパレットの所定の領域に車両を導入したドライバは、車両から降りて車両用リモコンを使用して車両のドアロック操作を実行する（ステップＳ３０６）。このステップの後、ドライバは乗降室１２外へ出る。なお、ドアロック操作のステップは必須ではなく、ドアロック操作を実行しない場合もある。
【００４１】
操作盤２８は、格納操作部４０が押し下げられたことに基づいてドライバまたは係員から格納開始の操作を受け付ける（ステップＳ３０８）。制御装置３０は、はみ出し検知部３７からの検知結果を参照し、はみ出しの有無を判定する（ステップＳ３１０）。はみ出しが検知された場合（ステップＳ３１０のＹ）、制御装置３０は操作盤２８の表示部４２にエラーを表示させ（ステップＳ３１２）、処理をステップＳ３０４に戻す。はみ出しが検知されなかった場合（ステップＳ３１０のＮ）、制御装置３０は車両が搭載されたパレットの格納棚への移動を開始する（ステップＳ３１４）。制御装置３０は、妨害用の電磁波Ｗｊの出力を開始するように電磁波発生装置１０を制御する（ステップＳ３１６）。制御装置３０は、車両用リモコンが使用できない旨の表示をするように表示部４２を制御する。（ステップＳ３１８）。制御装置３０は、昇降位置検知部３８からの検知結果を参照して、車両の昇降位置が所定の位置に達したか否かを判定する（ステップＳ３２０）。車両の昇降位置が所定の位置に達していない場合（ステップＳ３２０のＮ）、処理をステップＳ３２０の冒頭に戻す。車両の昇降位置が所定の位置に達した場合（ステップＳ３２０のＹ）、制御装置３０は、妨害用の電磁波Ｗｊの出力を停止させるように電磁波発生装置１０を制御する（ステップＳ３２２）。また、制御装置３０は、車両用リモコンが使用できない旨の表示を消すように表示部４２を制御する（ステップＳ３２４）。
【００４２】
次に、このように構成された実施の形態の機械式駐車場１００の作用効果を説明する。
【００４３】
実施の形態の機械式駐車場１００では、車両用リモコン２２による車両２０に対する遠隔操作を妨害するための妨害用の電磁波Ｗｊを出力する電磁波発生装置１０を備える。この構成によれば、車両用リモコン２２の誤った遠隔操作による車両２０の不要なリモコン動作を抑制することができる。このことにより、車両が移動中に駐車場の設備などに接触する可能性を小さくして、接触による車両や設備の損傷、通路への車両の落下などを生じにくくすることができる。
【００４４】
実施の形態の機械式駐車場１００では、電磁波発生装置１０は妨害用の電磁波Ｗｊが１００ｋＨｚ〜３００ｋＨｚの範囲内にある電磁波を含むように構成される。この構成によれば、車両用リモコンの電波と近い周波数帯の電磁波を出力することができる。このことにより、車両による車両用リモコンの電波の受信を効果的に妨害し、不要なリモコン動作を一層抑制することができる。
【００４５】
実施の形態の機械式駐車場１００では、電磁波発生装置１０は妨害用の電磁波Ｗｊが５００ＭＨｚ以上の電磁波を含まないように構成される。この構成によれば、携帯電話などの通信や通話への影響を抑制することができる。このことにより、妨害用の電磁波Ｗｊが出力されている状態でも、乗降室に取り残された者が携帯電話などで外部に救助を求めることが可能になる。
【００４６】
実施の形態の機械式駐車場１００では、電磁波発生装置１０は、乗降室１２に車両２０が進入した状態にて格納開始の操作がされた後のタイミングで妨害用の電磁波Ｗｊの出力を開始するように構成される。この構成によれば、格納開始の操作がなされる前には車両用リモコンによる遠隔操作により所望のリモコン動作をさせることができる。このことにより、ドアロックやミラー折り畳みなどを手動で実行する煩わしさを回避することができる。
【００４７】
実施の形態の機械式駐車場１００では、電磁波発生装置１０は、妨害用の電磁波Ｗｊの出力を開始してから、車両２０が乗降室１２から格納棚１４に通じる通路である昇降路９６を移動するときに妨害用の電磁波Ｗｊの出力を停止するように構成される。この構成によれば、出力を開始してから車両２０の昇降位置が所定の位置に達したときに妨害用の電磁波Ｗｊを停止することができる。電磁波を常時出力する場合に比べて、電磁波発生装置１０の消費電力を抑制し、その構成部品の劣化を緩和することができる。
【００４８】
実施の形態の機械式駐車場１００では、妨害用の電磁波Ｗｊを放射するためのアンテナ１０ｃが乗降室１２の内側に設置される。この構成によれば、乗降室１２の内側に設置されるアンテナ１０ｃから妨害用の電磁波Ｗｊを放射することができる。アンテナを乗降室外に設ける場合に比べて、乗降室内に駐車する車両に届く電磁波の強度を大きくして、リモコン電波の受信を効果的に妨害し、不要なリモコン動作を一層抑制することができる。また、駐車場外に漏れる電磁波の強度を小さくすることができる。
【００４９】
以上、本発明の実施の形態をもとに説明した。これらの実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００５０】
以下、変形例について説明する。変形例の図面および説明では、実施の形態と同一または同等の構成要素、部材には、同一の符号を付する。実施の形態と重複する説明を適宜省略し、実施の形態と相違する構成について重点的に説明する。
【００５１】
（変形例１）
実施の形態の説明では、アンテナ素子１０ｄが乗降室１２内に張設される例について説明したがこれに限られない。例えば、アンテナ素子１０ｄは通路である昇降路９６内に張設される部分を含んでもよい。また、アンテナ素子１０ｄはパレットに張設されてもよい。また、アンテナ素子１０ｄは格納棚１４に設けられてもよい。アンテナ素子１０ｄは、格納棚の駐車スペースごとに一つずつ設けてもよく、複数の駐車スペースごとに一つずつ設けてもよく、格納棚全体で一つ設けるようにしてもよい。この場合、妨害用の電磁波Ｗｊの出力を停止させずに常時出力することも考えられる。
【００５２】
（変形例２）
実施の形態の説明では、電磁波発生装置１０が乗降室１２に設けられる例について説明したがこれに限られない。例えば、電磁波発生装置１０は格納棚１４に設けられてもよい。電磁波発生装置１０は、格納棚１４の駐車スペースごとに一つずつ設けてもよく、複数の駐車スペースごとに一つずつ設けてもよく、格納棚全体で一つ設けるようにしてもよい。また例えば、電磁波発生装置１０は昇降路９６内に設けられてもよい。これらの場合、妨害用の電磁波Ｗｊの出力を停止せずに常時出力することも考えられる。
【００５３】
（変形例３）
実施の形態の説明では、格納開始の操作から所定時間経過したタイミングで妨害用の電磁波Ｗｊの出力を開始する例について説明したがこれに限られない。例えば、乗降室１２の入出庫口の扉が閉じ始めたタイミングで妨害用の電磁波Ｗｊの出力を開始するようにしてもよい。
【００５４】
（変形例４）
実施の形態の説明では、車両２０が昇降路９６を移動するときに妨害用の電磁波Ｗｊの出力を停止する例について説明したがこれに限られない。例えば、格納動作が開始されてから車両２０が所望の領域に運搬されるまでの経過時間を予め測定や計算等して求めておき、その経過時間にマージンを加味して設定時間（例えば３分）を定める。そして、電磁波発生装置を、妨害用の電磁波Ｗｊの出力を開始してから予め定められた設定時間を経過したタイミングで妨害用の電磁波Ｗｊの出力を停止するように構成してもよい。この構成によれば、出力を開始してから一定時間経過したときに妨害用の電磁波Ｗｊを停止することができる。電磁波を常時出力する場合に比べて、電磁波発生装置１０の消費電力を抑制し、その構成部品の劣化を緩和することができる。
【００５５】
（変形例５）
実施の形態の説明では、格納開始の操作後に妨害用の電磁波Ｗｊの出力を開始する例について説明したがこれに限られない。格納開始の操作前に妨害用の電磁波Ｗｊの出力を開始するようにしてもよい。例えば、乗降室を閉じる前であって、車両を進入させたドライバがユーザー認証を行った直後から妨害用の電磁波Ｗｊの出力を開始するようにしてもよい。
【００５６】
（変形例６）
実施の形態の説明では、昇降路９６内で車両２０が所定の位置に達したタイミングで妨害用の電磁波Ｗｊの出力を停止する例について説明したがこれに限られない。例えば、リフトフレーム８８が目的の階に達したタイミングで妨害用の電磁波Ｗｊの出力を停止するようにしてもよい。また例えば、車両２０が格納棚１４に格納されたタイミングで妨害用の電磁波Ｗｊの出力を停止するようにしてもよい。また、別の車両が乗降室へ入ってくるか、格納棚から乗降室へ車両が搬送されてくるまでの間、妨害用の電磁波Ｗｊの出力を継続してもよい。
【００５７】
（変形例７）
実施の形態の説明では、機械式駐車場がパレットを用いたパレット式の駐車場である例について説明したがこれに限られない。機械式駐車場は例えばスラットコンベア式などパレットを用いない駐車場であってもよく、櫛歯のすれ違いによって車両をエレベータや格納棚に受け渡す方式であってもよい。
【００５８】
これらの変形例１〜７に係る機械式駐車場は、実施の形態に係る機械式駐車場１００と同等の作用効果を奏する。
【符号の説明】
【００５９】
１０・・電磁波発生装置、  １０ｃ・・アンテナ、  １２・・乗降室、  １４・・格納棚、  ２０・・車両、  ２２・・車両用リモコン、  ２８・・操作盤、  ３０・・制御装置、  ３２・・パレット、  ４０・・格納操作部、  ４２・・表示部、  ９６・・昇降路、  １００・・機械式駐車場。
【図１】
2018059378.tif 000003
【図２】
2018059378.tif 000004
【図３】
2018059378.tif 000005
【図４】
2018059378.tif 000006